【手続補正書】
【提出日】平成23年4月14日(2011.4.14)
【手続補正１】
【補正対象書類名】特許請求の範囲
【補正対象項目名】全文
【補正方法】変更
【補正の内容】
【特許請求の範囲】
【請求項１】
所定のサンプリング周波数で入力アナログ信号をデジタル信号に変換するアナログデジタル変換装置であって、
前記サンプリング周波数で前記入力アナログ信号をサンプリングし、前記サンプリングの結果を保持しつつ出力するサンプルホールド手段と；
前記サンプルホールド手段からの出力信号を増幅する増幅手段と；
前記サンプルホールド手段からの保持出力期間の前半期間においては、前記サンプルホールド手段の出力信号及び前記増幅手段の出力信号の一方を選択し、第１アナログ信号として出力するとともに、前記保持出力期間の後半期間においては、前記サンプルホールド手段の出力信号及び前記増幅手段の出力信号の他方を選択し、第２アナログ信号として出力するアナログ信号選択手段と；
前記第１アナログ信号及び前記第２アナログ信号の振幅を、所定の振幅範囲内に制限する振幅制限手段と；
前記第１アナログ信号及び前記第２アナログ信号に対応して前記振幅制限手段から出力された信号の振幅値のそれぞれを所定のビット幅のデジタルデータに変換するデジタル変換手段と；
前記サンプルホールド手段からの出力信号に対応する前記デジタル変換手段による変換結果に、前記増幅手段における増幅率の推定値を乗じる乗算手段と；
前記増幅手段からの出力信号に対応する前記デジタル変換手段による変換結果である第１変換結果の絶対値が所定値以下である場合には、前記増幅手段からの出力信号に対応する前記デジタル変換手段による変換結果を選択して出力するとともに、前記増幅手段からの出力信号に対応する前記デジタル変換手段による変換結果である第２変換結果の絶対値が前記所定値を超える場合には、前記乗算手段による乗算結果を選択して出力するデジタル信号選択手段と；
を備えることを特徴とするアナログデジタル変換装置。
【請求項２】
前記第１変換結果及び前記第２変換結果に基づいて、前記増幅手段における増幅率の推定を行い、前記推定の結果を前記乗算手段に供給する推定手段を更に備える、ことを特徴とする請求項１に記載のアナログデジタル変換装置。
【請求項３】
前記推定手段は、
前記第１変換結果を前記第２変換結果で除算する除算手段と；
前記第１変換結果の絶対値が前記所定値以下であるか否かを判定する第１判定手段と；
前記第２変換結果の絶対値が、所定の除算許容値以上であるか否かを判定する第２判定手段と；
前記第１判定手段による判定の結果が肯定的であり、かつ、前記第１判定手段による判定の結果が肯定的であるときの前記除算手段による除算結果を収集する収集手段と；
前記収集手段による収集結果における短時間変動成分を除去することにより、前記増幅手段における増幅率の推定値を算出する算出手段と；
を備えることを特徴とする請求項２に記載のアナログデジタル変換装置。
【請求項４】
所定のサンプリング周波数で入力アナログ信号をサンプリングし、前記サンプリングの結果を保持しつつ出力するサンプルホールド工程と；
前記サンプルホールド工程において得られた信号を増幅する増幅工程と；
前記サンプルホールド工程における保持出力期間の前半期間においては、前記サンプルホールド工程において得られた信号及び前記増幅工程において増幅された信号の一方を選択し、第１アナログ信号として出力するとともに、前記保持出力期間の後半期間においては、前記サンプルホールド工程においてサンプリングされた信号及び前記増幅工程において増幅された信号の他方を選択し、第２アナログ信号として出力するアナログ信号選択工程と；
前記第１アナログ信号及び前記第２アナログ信号の振幅を、所定の振幅範囲内に制限する振幅制限工程と；
前記第１アナログ信号及び前記第２アナログ信号に対応して前記振幅制限工程において得られた信号の振幅値のそれぞれを所定のビット幅のデジタルデータに変換するデジタル変換工程と；
前記サンプルホールド工程において得られた信号に対応する前記デジタル変換工程における変換結果に、前記増幅工程における増幅率の推定値を乗じる乗算工程と；
前記増幅工程において増幅された信号に対応する前記デジタル変換工程による変換結果の絶対値が所定値以下である場合には、前記増幅工程において増幅された信号に対応する前記デジタル変換工程による変換結果を選択して出力するとともに、前記増幅工程において増幅された信号に対応する前記デジタル変換工程による変換結果が前記所定値を超える場合には、前記乗算工程における乗算結果を選択して出力するデジタル信号選択工程と；
を備えることを特徴とするアナログデジタル変換方法。
【手続補正２】
【補正対象書類名】明細書
【補正対象項目名】０００９
【補正方法】変更
【補正の内容】
【０００９】
請求項１に記載の発明は、所定のサンプリング周波数で入力アナログ信号をデジタル信号に変換するアナログデジタル変換装置であって、前記サンプリング周波数で前記入力アナログ信号をサンプリングし、前記サンプリングの結果を保持しつつ出力するサンプルホールド手段と；前記サンプルホールド手段からの出力信号を増幅する増幅手段と；前記サンプルホールド手段からの保持出力期間の前半期間においては、前記サンプルホールド手段の出力信号及び前記増幅手段の出力信号の一方を選択し、第１アナログ信号として出力するとともに、前記保持出力期間の後半期間においては、前記サンプルホールド手段の出力信号及び前記増幅手段の出力信号の他方を選択し、第２アナログ信号として出力するアナログ信号選択手段と；前記第１アナログ信号及び前記第２アナログ信号の振幅を、所定の振幅範囲内に制限する振幅制限手段と；前記第１アナログ信号及び前記第２アナログ信号に対応して前記振幅制限手段から出力された信号の振幅値のそれぞれを所定のビット幅のデジタルデータに変換するデジタル変換手段と；前記サンプルホールド手段からの出力信号に対応する前記デジタル変換手段による変換結果に、前記増幅手段における増幅率の推定値を乗じる乗算手段と；前記増幅手段からの出力信号に対応する前記デジタル変換手段による変換結果である第１変換結果の絶対値が所定値以下である場合には、前記増幅手段からの出力信号に対応する前記デジタル変換手段による変換結果を選択して出力するとともに、前記増幅手段からの出力信号に対応する前記デジタル変換手段による変換結果である第２変換結果の絶対値が前記所定値を超える場合には、前記乗算手段による乗算結果を選択して出力するデジタル信号選択手段と；を備えることを特徴とするアナログデジタル変換装置である。
【手続補正３】
【補正対象書類名】明細書
【補正対象項目名】００１０
【補正方法】変更
【補正の内容】
【００１０】
請求項４に記載の発明は、所定のサンプリング周波数で入力アナログ信号をサンプリングし、前記サンプリングの結果を保持しつつ出力するサンプルホールド工程と；前記サンプルホールド工程において得られた信号を増幅する増幅工程と；前記サンプルホールド工程における保持出力期間の前半期間においては、前記サンプルホールド工程において得られた信号及び前記増幅工程において増幅された信号の一方を選択し、第１アナログ信号として出力するとともに、前記保持出力期間の後半期間においては、前記サンプルホールド工程においてサンプリングされた信号及び前記増幅工程において増幅された信号の他方を選択し、第２アナログ信号として出力するアナログ信号選択工程と；前記第１アナログ信号及び前記第２アナログ信号の振幅を、所定の振幅範囲内に制限する振幅制限工程と；前記第１アナログ信号及び前記第２アナログ信号に対応して前記振幅制限工程において得られた信号の振幅値のそれぞれを所定のビット幅のデジタルデータに変換するデジタル変換工程と；前記サンプルホールド工程において得られた信号に対応する前記デジタル変換工程における変換結果に、前記増幅工程における増幅率の推定値を乗じる乗算工程と；前記増幅工程において増幅された信号に対応する前記デジタル変換工程による変換結果の絶対値が所定値以下である場合には、前記増幅工程において増幅された信号に対応する前記デジタル変換工程による変換結果を選択して出力するとともに、前記増幅工程において増幅された信号に対応する前記デジタル変換工程による変換結果が前記所定値を超える場合には、前記乗算工程における乗算結果を選択して出力するデジタル信号選択工程と；を備えることを特徴とするアナログデジタル変換方法である。